(57)【要約】      （修正有）【課題】掘削用バケットに簡易な構成を付設することによって、地盤に適当な深さの亀裂を発生させて樹木の根の周囲の解土や根きり作業を容易化するパワーショベルのバケットを提供する。【解決手段】複数枚の根きり用爪２Ａ、２Ｂをバケット１の側板１１と平行に並設してバケットに支持する。根きり用爪の先部はバケットの先端面より前方向へ延伸して突出し、この突出した根きり用爪の先部で地面や根を掻き裂いて根の活性化作業を行う。複数枚の根きり用爪は基部を軸に起倒可能にバケットへ支持され、起倒状態の固定手段を有する。【選択図】図２
0003200353.tif 000002
【実用新案登録請求の範囲】
【請求項１】
複数枚の根きり用爪をバケットの側板と平行に並設して前記バケットに支持したこと、前記根きり用爪の先部は前記バケットの先端面より前方向へ延伸して突出していること、この突出した前記根きり用爪の先部で地面や根を掻き裂いて根の活性化作業を行うことを特徴とするパワーショベルのバケット。
【請求項２】
バケットの両側板の外側近傍に一枚の根きり用爪を、バケット内に複数枚の根きり用爪を配置して支持したことを特徴とする請求項1に記載のパワーショベルのバケット。
【請求項３】
バケット内に配置した各根きり用爪の上端面に支承部材を設け、一方、パワーショベルのアームの内側に、前記支承部材と対峙する受部材を設けたことを特徴とする請求項1又は２に記載のパワーショベルのバケット。
【請求項４】
複数枚の根きり用爪は基部を軸に起倒可能にバケットへ支持され、根の活性化作業と、バケットの開口部を確保したショベル作業とができる起倒状態の固定手段を有することを特徴とする請求項1乃至３の何れかに記載のパワーショベルのバケット。
【請求項５】
バケットの両側板に軸受けを突設し、根きり用爪の基部軸孔と共に挿通した支持ロッドで根きり用爪を起倒可能に支持したこと、前記軸受及び根きり用爪の基部に相対向してフランジを設けたこと、軸受のフランジには固定用係止孔を、根きり用爪のフランジには起倒間に前記固定用係止孔に対応する複数の位置決め孔を有すること、前記固定用係止孔に対応する特定の位置決め孔に係止具を装着して根きり用爪の起倒位置を固定することを特徴とする請求項４に記載のパワーショベルのバケット。
【考案の詳細な説明】
【技術分野】
【０００１】
本考案は、樹木の根の活性化を図るためのパワーショベルのバケットに関するものである。
【背景技術】
【０００２】
樹木は経年により根が老化して活性が失われていく。
また、公園や街路樹などは地盤が踏み固められ、根の拡散が悪くなり樹木の勢いを退化させている。
【０００３】
このため、樹精が無くなった樹木に対して、根の周囲の土壌を解土し土壌を懐柔することで、通気性が改善されて精気を蘇えらせ、根を活性化させる事が知られている。
これらの改善を図るため、根の周囲の解土や根きりと呼ばれる作業が必要となるのである。
【０００４】
しかし、樹木の根は四方八方に広がっており、人力で行うことは大変な作業となるため、土木の掘削作業に使われるパワーショベルを利用して作業を行っているのである。
パワーショベルは強力な掘削力と傾斜地でも作業が可能で、また、掘削用バケットは先端部に、土砂を効率よく削り取るための爪状の部材が複数本並列して突設されているものが多くみられる。
【先行技術文献】
【特許文献】
【０００５】
【特許文献１】特願平５‐１０１３０７
【特許文献２】特願２００４-３０１６３６
【特許文献３】特願２０１２-１３８３０８
【考案の概要】
【考案が解決しようとする課題】
【０００６】
樹木の根を活性化するためには、地盤の通気や固形化した土を解きほぐす必要があり、その作業にパワーショベルを利用した場合、一般的な掘削用バケットでは爪の形状が幅広く且つ長さが短い。
そこで、深く解土すれば地盤を掘り起こしてしまうことや、樹木の根きりには根を損傷してしまう可能性があることの問題が指摘されている。
【０００７】
本考案は斯かる問題点を解決するため、パワーショベルの掘削用バケットに簡易な構成を付設することによって、地盤に適当な深さの亀裂を発生させて樹木の根の周囲の解土や根きり作業を容易化し、生育環境を改善することで樹木を活性化させることを目的とする。
【課題を解決するための手段】
【０００８】
この目的を達成するために、請求項１のパワーショベルのバケット考案は、複数枚の根きり用爪をバケットの側板と平行に並設して前記バケットに支持したこと、前記根きり用爪の先部は前記バケットの先端面より前方向へ延伸して突出していること、この突出した前記根きり用爪の先部で地面や根を掻き裂いて根の活性化作業を行うことを特徴とするものである。
【０００９】
請求項２の考案は、請求項1に記載のパワーショベルのバケットにおいて、バケットの両側板の外側近傍に一枚の根きり用爪を、バケット内に複数枚の根きり用爪を配置して支持したことを特徴とするものである。
【００１０】
請求項３の考案は、請求項1又は２に記載のパワーショベルのバケットにおいて、バケット内に配置した各根きり用爪の上端面に支承部材を設け、一方、パワーショベルのアームの内側に、前記支承部材と対峙する受部材を設けたことを特徴とするものである。
【００１１】
請求項４の考案は、請求項1乃至３の何れかに記載のパワーショベルのバケットにおいて、複数枚の根きり用爪は基部を軸に起倒可能にバケットへ支持され、根の活性化作業と、バケットの開口部を確保したショベル作業とができる起倒状態の固定手段を有することを特徴とするものである。
【００１２】
請求項５の考案は、請求項４に記載のパワーショベルのバケットにおいて、バケットの両側板に軸受けを突設し、根きり用爪の基部軸孔と共に挿通した支持ロッドで根きり用爪を起倒可能に支持したこと、前記軸受及び根きり用爪の基部に相対向してフランジを設けたこと、前記軸受のフランジには固定用係止孔を、根きり用爪のフランジには起倒間に前記固定用係止孔に対応する複数の位置決め孔を有すること、前記固定用係止孔に対応する特定の位置決め孔に係止具を装着して根きり用爪の起倒位置を固定することを特徴とするものである。
【考案の効果】
【００１３】
請求項１のパワーショベルのバケットの考案によれば、複数枚の根きり用爪をバケットの側板と平行に並設して前記バケットに支持し、前記根きり用爪の先部は前記バケットの先端面より前方向へ延伸して突出しているため、バケットを操作することにより、この突出した前記根きり用爪の先部で地面や根を掻き裂いて解土し、また一定の深さで根きり作業も行い、樹木の根の活性化を促す効果が得られる。
【００１４】
請求項２の考案は、請求項1に記載の効果に加えて、バケットの両側板の外側に一枚の根きり用爪を、バケット内に複数枚の根きり用爪を配置して支持したため、半数以上の根きり用爪はバケット内に支持されて、バケットの操作で安定した根きり等の作業が可能であり、外側近傍に配置された根きり用爪もバケットの横幅と感覚的に差が無く、バケット操作に違和感は無いと共にバケット幅を有効に利用できる効果を有する。
【００１５】
請求項３の考案は、請求項１又は２に記載の効果に加えて、バケット内に配置した各根きり用爪の上端面に支承部材を設け、一方、パワーショベルのアームの内側に、前記支承部材と対峙する受部材を設けため、樹木の活性化において、根きり作業中に伐採した木材が作業の妨害になる場合は、伐採された樹木を支承部材と対峙する受部材で挟み込んで移動でき、林内の整理に効果が得られる。
【００１６】
請求項４の考案は、請求項１乃至３に記載の効果に加えて、複数枚の根きり用爪は基部を軸に起倒可能にバケットへ支持され、根の活性化作業と、バケットの開口部を確保したショベル作業とができるように、起倒状態の固定手段を有するため、根きり用爪を起倒させることによって、樹木は根の活性化作業と共に、本来のショベル作業も従来通り支障なくできる効果を発揮する。
【００１７】
請求項５の考案は、請求項４に記載の効果に加えて、簡易な構成で複数枚の根きり用爪の基部を軸に起倒可能にバケットへ支持することができ、固定用係止孔に対応する特定の位置決め孔に係止具を装着して根きり用爪の起倒位置を固定できる効果を有するものである。
【図面の簡単な説明】
【００１８】
【図１】本考案の一実施の形態を示すバケットの正面図である。
【図２】図１のバケットの側面図である。
【図３】図１のバケットの使用状態の一例を示す側面図である。
【図４】図１のバケットのみの正面図である。
【図５】図１のバケットのみの側面図である。
【図６】図１のバケット内に配置した根きり用爪の正面図である。
【図７】図１のバケット内に配置した根きり用爪の側面図である。
【図８】図１のバケットの外側に配置した根きり用爪の正面図である。
【図９】図１のバケットの外側に配置した根きり用爪の側面図である。
【考案を実施するための形態】
【００１９】
本考案の実施の形態を図面に基づいて説明する。
図１は、本考案の一実施の形態を示すバケットの正面図、図２は同バケットの側面図であり、パワーショベルのバケット１に複数枚の根きり用爪２と、パワーショベルのアーム３の内側に受部材４が設けられている。
【００２０】
複数枚の根きり用爪２は、側面が先細の形状と成った平板状の鋼板で、バケット１の側板１１と平行に並設してバケット１に付設され、図面１及び２では、バケット１の両側板１１の外側近傍に一枚の根きり用爪２Ａを、バケット１内に２枚の根きり用爪２Ｂが配置されている。
先部はバケット１の先端面（掘削用爪１２）より更に前方上向きに延伸して突出し、この突出した根きり用爪２の先部で地面や根を掻き裂いて根の活性化作業を行うものである。
【００２１】
根きり用爪２（２Ａ及び２Ｂ、以下同じ。）は、基部を起倒可能にバケット１に支持されている。
すなわち、バケット１の両側板１１に軸受１３を突設し、穿設した軸受け用孔１４と、根きり用爪２の基部軸孔２１とに挿通した支持ロッド５で根きり用爪２を起倒可能に支持している。
【００２２】
バケット１内に配置される２枚の根きり用爪２Ｂは、基部を環体２２で連係し、環体２２の透孔が基部軸孔２１と成し、また、支持ロッド５と各基部軸孔２１とはキ―止（図示せず。）され一体と成ってバケット１の両側板１１の軸受１３に起倒（回転）可能に支持されている。
【００２３】
また、前記軸受１３及び根きり用爪２の基部又は環体２２に相対向するフランジ１５，２３を突設してあり、軸受１３のフランジ１５には固定用係止孔１６を、根きり用爪２のフランジ２３には位置決め孔２４を穿設してある。
そして、軸受１３の固定用係止孔１６と、二つの根きり用爪２の位置決め孔２４を合わせて係止具である固定ピン６を装着して固定することで、バケット１に根きり用爪２が固定され、バケット１を操作して容易に根きり用爪２で樹木の根の周囲の解土や根きり作業をすることができる。
【００２４】
また、根きり用爪２の基部又は環体２２に突設したフランジ２３は、フランジ２３Ａとフランジ２３Ｂの２箇所に設けてあり、夫々に位置決め孔２４Ａと位置決め孔２４Ｂが穿設してある。
前記の解土や根きり作業をする際は、位置決め孔２４Ａを選択して、根きり用爪２を倒してバケット１に載置するような位置にすると共に、先部がバケット１の先端から突出した状態にバケット１へ固定して行うものである。
【００２５】
他方の位置決め孔２４Ｂを選択すると、根きり用爪２は起立してバケット１に固定され、バケット１上が開放されて本来のパワーショベルのバケットを用いた作業を行うことができる。
図面では、２箇所に位置決め孔２４を例示してあるけれど、起倒間に前記固定用係止孔に対応する複数の位置決め孔を設定しても良く、前記固定用係止孔に対応する特定の位置決め孔に係止具を装着して根きり用爪の起倒位置を任意に固定できる。
【００２６】
さらに、バケット１内に配置した各根きり用爪２Ｂの上端面に椀状の支承部材７を載設してあり、一方、パワーショベルのアーム３の内側に、前記支承部材７と対峙するアーチ状の受部材４を設けてある。
樹木の活性化において、根きり作業中に伐採した木材が作業の妨害になる場合は、バケット１を操作して、伐採された樹木を椀状の支承部材７と対峙するアーチ状の受部材４で挟み込んで移動し、林内の整理を行うことができる。
【００２７】
以上、本考案を図面に基づいて説明した実施の形態における上記の具体的な構成は一例であり、同様の作用効果を得られる構成または手段を排除するものではない。
【符号の説明】
【００２８】
１          バケット
２          根きり用爪
３          パワーショベルのアーム
４          受部材
５          支持ロッド
６          固定ピン
７          支承部材
１１        側板
１２        掘削用爪
１３        軸受
１４        軸受け用孔
１５，２３  フランジ
１６        固定用係止孔
２１        基部軸孔
２２        環体
２４        位置決め孔
【図１】
0003200353.tif 000003
【図２】
0003200353.tif 000004
【図３】
0003200353.tif 000005
【図４】
0003200353.tif 000006
【図５】
0003200353.tif 000007
【図６】
0003200353.tif 000008
【図７】
0003200353.tif 000009
【図８】
0003200353.tif 000010
【図９】
0003200353.tif 000011